(57)【要約】【課題】  販売展示のためのスペースの無駄が省け、手間の掛からない簡単な操作で交換でき、かつ消費者の負担するコストの低減化にも寄与することができるネームホルダーを提供することを目的とする。【解決手段】  ネームホルダー本体１の上面に凹部１０を形成し、該凹部１０に文字シール１２を脱・着自在に貼着すると共に、透明材からなるレンズ盤１３を文字シール１２の上から前記凹部１０に脱・着自在に嵌合して構成する。【選択図】          図２
2005195945.tif 000002
【特許請求の範囲】
【請求項１】
ネームホルダー本体の上面に凹部を形成し、該凹部に文字シールを脱・着自在に貼着すると共に、透明材からなるレンズ盤を文字シールの上から前記凹部に脱・着自在に嵌合したことを特徴とするネームホルダー。
【請求項２】
前記ネームホルダー本体を、不透明な合成樹脂材からなる基盤と、該基盤上面に設けられた凹部に飾りシートを介在して脱・着自在に嵌合する透明材からなる表盤とで形成し、この表盤の上面に文字シールとレンズ盤嵌合用の凹部を設けてなることを特徴とする請求項１記載のネームホルダー。
【請求項３】
前記表盤および基盤の各凹部に文字シールや飾りシート等の突き上げ孔を貫通して設けてなることを特徴とする請求項１または２記載のネームホルダー。
【請求項４】
前記レンズ盤および表盤の上面を凸球面状に形成してなることを特徴とする請求項１、２、３いずれかに記載のネームホルダー。
【請求項５】
上面に文字シールとレンズ盤を嵌合する凹部を有する文字ホルダーを設け、該文字ホルダーを、表盤上面に設けた凹部に脱・着自在に嵌合することを特徴とする請求項１または２記載のネームホルダー。
【請求項６】
前記文字ホルダーの下面に、下端に係止部を突設した脚部を垂設し、この脚部を表盤の凹部に設けた突き落し孔に嵌合することを特徴とする請求項１、３、５のいずれかに記載のネームホルダー。
【発明の詳細な説明】
【技術分野】
【０００１】
本発明は、ネームホルダーに関する。
【背景技術】
【０００２】
一般に、自分の物を他人の物と間違われないように、あるいは万一紛失した場合でも所有者が判るように、種々な携帯品にネームを表示することが多い。
【０００３】
従来、この種のネーム表示具の一例として、名札、キーホルダー、ブローチ、アクセサリー、ファンシー小物、玩具等に造形したプラスチック製造形板と、上面に文字等を表記したプラスチック製表示部品（文字ホルダー）をそれぞれ設け、造形板に貫通して設けた小孔に、複数個の表示部品の止めピン（係止部付き脚柱）を挿着することにより、種々な携帯品に自分のネーム（略称や通称等を含む）をワンタッチによる簡単な操作で付設することができるようにしたものが知られている。
【特許文献１】特開平９−２７４４４０号公報
【発明の開示】
【発明が解決しようとする課題】
【０００４】
しかしながら、上記のネーム表示具は、プラスチック製表示部品（文字ホルダー）の上面に文字等が一体に表記されているため、使用者のネーム毎の文字が付いた表示部品が必要であり、販売展示のためのスペースが大型となり、誠に不経済である。
【０００５】
また、略称や通称等からなるネームを変更する場合、新たな表示部品を購入し、表示部品全体を交換しなければならないため、手間が掛かる上に、コスト高となる問題がある。
【０００６】
本発明は、このような従来の諸問題を考慮してなされたものであり、販売展示のためのスペースの無駄が省け、手間の掛からない簡単な操作で交換でき、かつ消費者の負担するコストの低減化にも寄与することができるネームホルダーを提供することを目的とする。
【課題を解決するための手段】
【０００７】
上記目的を達成するために、請求項１の発明のネームホルダーは、前記文字ホルダーの下面に、下端に係止部を突設した脚部を垂設し、この脚部を表盤の凹部に設けた突き落し孔に嵌合することを特徴とする。
【０００８】
請求項２の発明のネームホルダーは、前記ネームホルダー本体を、不透明な合成樹脂材からなる基盤と、該基盤上面に設けられた凹部に飾りシートを介在して脱・着自在に嵌合する透明材からなる表盤とで形成し、この表盤の上面に文字シールとレンズ盤嵌合用の凹部を設けてなることを特徴とする。
【０００９】
請求項３の発明のネームホルダーは、前記表盤および基盤の各凹部に文字シールや飾りシート等の突き上げ孔を貫通して設けてなることを特徴とする。
【００１０】
請求項４の発明のネームホルダーは、前記レンズ盤および表盤の上面を凸球面状に形成してなることを特徴とする。
【００１１】
請求項５の発明のネームホルダーは、上面に文字シールとレンズ盤を嵌合する凹部を有する文字ホルダーを設け、該文字ホルダーを、表盤上面に設けた凹部に脱・着自在に嵌合することを特徴とする。
【００１２】
請求項６の発明のネームホルダーは、前記文字ホルダーの下面に、下端に係止部を突設した脚部を垂設し、この脚部を表盤の凹部に設けた突き落し孔に嵌合することを特徴とする。
【発明の効果】
【００１３】
本発明は、以上のとおり構成されるものであるから、ワンタッチで簡単に組み立て、あるいは交換することができる。また、販売や展示のためのスペースの無駄、および消費者の負担する経費の無駄を省くことができる。さらに、ネームホルダーの上面に設けられた各文字が小さくとも、上面のレンズ盤によって拡大されるためネーム全体が見易くすることができる。
【発明を実施するための最良の形態】
【００１４】
以下、本発明を実施するための最良の形態を図面に基づいて詳細に説明する。
図１は、本発明に係るネームホルダーの正面図、図２は、同上の分解斜視図、図３は、同上の拡大断面図、図４は、他の実施形態を示すネームホルダーの正面図、図５は、同上の分解斜視図、図６は、同上の拡大断面図、図７は、同上の文字ホルダーの拡大断面図、図８は、文字ホルダーを保持する保持板の斜視図、図９は、文字ホルダーの各パーツを分離して収容、保管するケースの斜視図、図１０は、文字シールシートの斜視図をそれぞれ示す。
【００１５】
図１〜図３において、１はネームホルダー本体であって、不透明な合成樹脂材からなる円盤状の基盤２と、該基盤２の上面に設けられた円形の凹部４に飾りシート５を介在して脱・着自在に嵌合する透明材からなる円盤状の表盤３とで概ね形成されている。
【００１６】
基盤２は、不透明なアクリル樹脂にて形成され、凹部４の底面には、表盤３をキリ等の針状物を差し込んで上方へ突き上げる突き上げ孔６が間隔を置いて２個上下に貫通して設けられている。
【００１７】
なお、基盤２の上端には保持部７が一体に突設されており、この保持部７に穿設した孔８に吊り下げ用のチェン９が挿通、保持されている。
【００１８】
表盤３は、透明なアクリル樹脂にて上面が凸球面３ａに形成されると共に、周縁に沿って、複数個（本例では４個）の小型の円形凹部１０を等間隔に並列配設させてある。そして、各凹部１０の中央部には、後述する文字シールやレンズ盤の突き上げ孔１１が上下に貫通して設けられている。
【００１９】
飾りシート５は、合成樹脂シートやボール紙等によって形成され、表面には種々な色彩の絵、写真、デザイン等の印刷５ａが施されている。
【００２０】
さらに、図１〜図３において、１２は文字シール、１３はレンズ盤である。
【００２１】
文字シール１２は、表盤３の円形凹部１０に嵌合できるよう略同形・同大の円形に形成され、上面に文字１４が印刷されると共に、裏面に接着用の粘着材が塗布されている。
【００２２】
なお、図１０に示した文字シールシート１５は、種々な文字１４が印刷された文字シール１２を多数作製し、それらを裏面に設けられた粘着材を介して台紙１６の上面に並列配置させたものである。
【００２３】
使用に際しては、文字シールシート１５の台紙１６上から所望の文字１４が印刷された文字シール１２を必要枚数剥離させ、当該文字シール１２を表盤３の凹部１０底面に順次貼着するものである。
【００２４】
レンズ盤１３は、文字シール１２と同じように表盤３の円形凹部１０に嵌合できるよう略同形・同大の円盤状に形成されている。そして、このレンズ盤１３も透明アクリル樹脂にて上面を凸球面１３ａに形成してある。
【００２５】
使用に際しても、文字シール１２と同様表盤３の各凹部１０に文字シール１２の上から押し込み嵌合するものである。
【００２６】
以下、本実施形態に示すネームホルダーの組み立て方法について説明する。
先ず、基盤２の凹部４に飾りシート５を介在して透明材からなる表盤３を嵌合する。
【００２７】
次いで、所望の文字１４が印刷された文字シール１２を必要な枚数選択し、当該文字シール１２を表盤３の各凹部１０底面に順次貼着する。
【００２８】
その後、各凹部１０にレンズ盤１３を文字シール１２の上から押し込み嵌合し、これによってネームホルダーの組み立て作業は完了し、ホルダー表面にネームが並列、表記されるものである。
【００２９】
このとき、文字シール１２の文字１４は、その上面に設けられたレンズ盤１３を通して拡大され、一方、飾りシート５の印刷５ａは、上面が凸球面３ａに形成された透明な表盤３を通して拡大されるため、それぞれが見易いものとなっている。
【００３０】
なお、あらかじめ文字シール１２やレンズ盤１３を表盤３の凹部１０に取り付けておいて、これを基盤２の凹部１４に嵌合するようにしてもよい。
【００３１】
次に、他の実施形態を図４〜図７に基づいて説明すると、２１は文字ホルダーであって、柔軟性を有する合成樹脂材にて円盤状の文字ホルダー本体２２と、該本体２２の下面中央に垂設した円柱状の脚部２３とにて形成されている。
【００３２】
文字ホルダー本体２２は、既述表盤３の上面に設けられた円形凹部１０に嵌合できるよう略同形・同大の円形に形成されると共に、上面に既述文字シール１２やレンズ盤１３が嵌合できるよう凹部２４が形成され、かつ凹部２４には文字シール１２やレンズ盤１３の突き落し孔２４ａが上下に貫通して設けられている。
【００３３】
一方、円柱状の脚部２３は、下端に係止部２３ａが突設されており、表盤３の凹部１０中央に設けられた突き上げ孔１１に脱・着自在に嵌合できるように形成されている。
【００３４】
ところで、図８中、２５は、文字ホルダー２１の合成樹脂製の保持板で、全体に多数の保持孔２６が等間隔に穿設され、それら保持孔２６に組み立てられた文字ホルダー２１の脚部２３が挿入され、係止部２３ａによって抜け落ちないように保持される一方、上方へ引っ張り力を加えることにより引き抜き可能に形成されている。２７は、保持板２５の上端に穿設された吊り下げ孔である。
【００３５】
図９中、２８は、組み立てる前の文字ホルダー２１の各パーツを分離して収容、保管する合成樹脂製のケースで、文字ホルダー本体２２の収容凹部２９と、文字シール１２の収容凹部３０と、レンズ盤１３の収容凹部３１がそれぞれケース上面に形成されている。文字ホルダー本体２２の収容凹部２９の底面中央には、文字ホルダー本体１２の下面に垂設された脚部２３の収容孔２９ａが複数個（図示例では４個）が設けられている。
【００３６】
以下、本実施形態に示すネームホルダーの組み立て方法について説明する。
あらじかめ文字ホルダー本体２２の凹部２４に文字シール１２およびレンズ盤１３を順次貼着、嵌合しておき、これを表盤３の凹部１０を嵌合すると共に、その脚部２３を凹部１０の中央に設けられた突き上げ孔１１に嵌挿し、係止部２３ａによって、係止する。このような作業をネームの数だけ行なう。
【００３７】
次いで、その表盤３を基盤２の凹部４に飾りシート５を介在して嵌合し、これによってネームホルダーの組み立て作業は完了するものである。このとき、ホルダー表面に並列、表記されたネームは、レンズ盤１３を通して拡大され、一方、飾りシート５の印刷５ａは、上面が凸球面３ａに形成されたレンズ盤３を通して拡大されることは第１の実施形態における記述と同様である。
【図面の簡単な説明】
【００３８】
【図１】本発明に係るネームホルダーの正面図である。
【図２】同上の分解斜視図である。
【図３】同上の拡大断面図である。
【図４】他の実施形態を示すネームホルダーの正面図である。
【図５】同上の分解斜視図である。
【図６】同上の拡大断面図である。
【図７】同上の文字ホルダーの拡大断面図である。
【図８】文字ホルダーを保持する保持板の斜視図である。
【図９】文字ホルダーの各パーツを分解して収容、保管するケースの斜視図である。
【図１０】文字シールシートの斜視図である。
【符号の説明】
【００３９】
１      ネームホルダー本体
２      基盤
３      表盤
３ａ    凸球面
４      凹部
５      飾りシート
６      突き上げ孔
１０    凹部
１１    突き上げ孔
１２    文字シール
１３    レンズ盤
１３ａ  凸球面
１４    文字
２１    文字ホルダー
２２    文字ホルダー本体
２３    脚部
２３ａ  係止部
【図１】
2005195945.tif 000003
【図２】
2005195945.tif 000004
【図３】
2005195945.tif 000005
【図４】
2005195945.tif 000006
【図５】
2005195945.tif 000007
【図６】
2005195945.tif 000008
【図７】
2005195945.tif 000009
【図８】
2005195945.tif 000010
【図９】
2005195945.tif 000011
【図１０】
2005195945.tif 000012